(57)【特許請求の範囲】
【請求項１】
一側に電球用の受金を有する受金側ケースと、
前記受金側ケースの前記一側の反対側に取り付けられる裏蓋体と、
前記受金に接続される端子金具と、
照明器具の電源線にバネ力を付与して前記電源線を前記端子金具に導通させるバネ端子と、
前記裏蓋体は、前記照明器具のソケットに保持される筒状の保持体を有し、
前記裏蓋体の前記保持体の外表面には、前記照明器具のソケット内に嵌め込んで固定する一対の突部が形成され、
前記裏蓋体の前記保持体の内部には、圧縮バネを介して前記ソケットの底部に当接するロックボタンが出没可能に収納されることを特徴とする電球用ソケット。
【請求項２】
前記受金側ケースは、前記裏蓋体との接合面に前記バネ端子を収容する開口が形成された収容空間を有し、
前記バネ端子が、前記裏蓋体により前記収容空間内で同一面上に保持されていることを特徴とする請求項１記載の電球用ソケット。
【請求項３】
前記バネ端子を押圧変形させるレバーをさらに備え、
前記バネ端子は、前記収容空間に起立及び傾倒自在に収容され、
前記裏蓋体は、前記バネ端子に対応して前記収容空間に連通する通孔を有していることを特徴とする請求項２記載の電球用ソケット。
【請求項４】
前記バネ端子は、前記電源線の導出方向に延びる支持体と、前記支持体の両端部にバネ部を有する板バネにより構成されていることを特徴とする請求項３記載の電球用ソケット。
【請求項５】
前記支持体の一端側の前記バネ部は、前記受金に向けて折り返されて湾曲した第１の湾曲部と、前記第１の湾曲部の先端から外方に延びる第１の接触部とを有し、
前記支持体の他端側の前記バネ部は、前記第１の湾曲部の湾曲方向とは逆方向に折り返されて湾曲した第２の湾曲部と、前記第２の湾曲部の先端から外方に延びる第２のバネ部と、前記第２のバネ部の先端から前記受金に向けて折り返されて湾曲した第２の接触部とを有していることを特徴とする請求項４記載の電球用ソケット。
【請求項６】
前記受金側ケースの前記収容空間は、前記裏蓋体との接合面に前記端子金具を収容する開口が形成された一対の長溝と、前記一対の長溝のそれぞれの中間部に外方に膨出した一対の中間凹溝と、前記一対の長溝のそれぞれの両端部に外方に膨出した一対の端部凹溝とにより構成され、
前記端子金具は、前記収容空間の長さ方向に延びる板材からなり、
前記板材の中間部には前記中間凹溝内に収容される取付片が外方に折曲して形成され、
前記板材の長手方向両端部には前記端部凹溝内に収容されるコ字形接触片が外方に折曲して形成されていることを特徴とする請求項２又は３記載の電球用ソケット。
【請求項７】
一対の前記取付片のうち、一方の前記取付片は、前記受金の弾性接触片と互いに電気的に接続され、他方の前記取付片は、前記受金の取付フランジと互いに電気的に接続され、
前記端子金具の前記コ字形接触片には、前記バネ端子が接触されていることを特徴とする請求項６記載の電球用ソケット。」
【発明の詳細な説明】
【技術分野】
【０００１】
本発明は、例えば一般照明用ソケットと電球型ランプとの間を電気接続するための電球用ソケットに関する。
【背景技術】
【０００２】
白熱電球や電球型蛍光灯などの電球型ランプに代えて、屋内に設置された一般的な既設の照明器具にＬＥＤ（発光ダイオード）を光源としたＬＥＤランプを取り付けることで、ＬＥＤ照明に置き換わってきている。この既設の照明器具に用いるＬＥＤ照明の一例としては、電球型ランプの口金と既設の照明器具に接続されるソケットとの間に嵌め込む照明装置用アダプタが提案されている（例えば、特許文献１参照。）。
【０００３】
屋内の一般的な既設の照明器具は、電球型ランプに商用電源からの交流電流を入力するものであり、例えばインバータ式の安定器を備えている。このようなインバータ式の照明器具は、電球型ランプに高電圧を発生させることで点灯させるとともに、電球型ランプの点灯後は、電球型ランプに入力される電流を安定させるものである。
【先行技術文献】
【特許文献】
【０００４】
【特許文献１】特開２００７−２６６８５号公報
【発明の概要】
【発明が解決しようとする課題】
【０００５】
上述した例えばインバータ式の照明器具に一般的なＬＥＤランプを取り付ける場合は、そのＬＥＤランプの始動時にランプ出力端子間に定格点灯電圧よりも高い電圧が出力される。ＬＥＤランプに過度な電圧が出力されると、ＬＥＤランプの劣化が進むので、ＬＥＤランプの寿命が短くなることもあり、ＬＥＤランプの点灯回路が破損する場合もある。このため、ＬＥＤランプをインバータ式の照明器具の特性に適合するように設計しなければならない。
【０００６】
一方、一般的な既設の照明器具のソケットは、受金のサイズや形状がＩＥＣ（国際電気標準会議）の規格を踏襲してＪＩＳ（日本工業規格）において規格化されており、例えばＧＸ１０ｑ形やＧＸ２４ｑ形などのソケットがある。従って、受金のサイズや形状が違っても、一般的な既設の照明器具を用いてＬＥＤランプを点灯させることも要望されている。
【０００７】
本発明の目的は、照明器具の種類にかかわらず、一般照明用ソケットと電球型ランプとの間を電気接続可能な電球用ソケットを提供することにある。
【課題を解決するための手段】
【０００８】
［１］本発明は、上記目的を達成するため、一側に電球用の受金を有する受金側ケースと、前記受金側ケースの前記一側の反対側に取り付けられる裏蓋体と、前記受金に接続される端子金具と、照明器具の電源線にバネ力を付与して前記電源線を前記端子金具に導通させるバネ端子と、前記裏蓋体は、前記照明器具のソケットに保持される筒状の保持体を有し、
前記裏蓋体の前記保持体の外表面には、前記照明器具のソケット内に嵌め込んで固定する一対の突部が形成され、前記裏蓋体の前記保持体の内部には、圧縮バネを介して前記ソケットの底部に当接するロックボタンが出没可能に収納されることを特徴とする電球用ソケットにある。
【０００９】
［２］上記［１］記載の発明にあって、前記受金側ケースは、前記裏蓋体との接合面に前記バネ端子を収容する開口が形成された収容空間を有し、前記バネ端子が、前記裏蓋体により前記収容空間内で同一面上に保持されていることを特徴としている。
【００１１】
［３］上記［２］記載の発明にあって、前記バネ端子を押圧変形させるレバーをさらに備え、前記バネ端子は、前記収容空間に起立及び傾倒自在に収容され、前記裏蓋体は、前記バネ端子に対応して前記収容空間に連通する通孔を有していることを特徴としている。
【００１２】
［４］上記［３］記載の発明にあって、前記バネ端子は、前記電源線の導出方向に延びる支持体と、前記支持体の両端部にバネ部を有する板バネにより構成されていることを特徴としている。
【００１３】
［５］上記［４］記載の発明にあって、前記支持体の一端側の前記バネ部は、前記受金に向けて折り返されて湾曲した第１の湾曲部と、前記第１の湾曲部の先端から外方に延びる第１の接触部とを有し、前記支持体の他端側の前記バネ部は、前記第１の湾曲部の湾曲方向とは逆方向に折り返されて湾曲した第２の湾曲部と、前記第２の湾曲部の先端から外方に延びる第２のバネ部と、前記第２のバネ部の先端から前記受金に向けて折り返されて湾曲した第２の接触部とを有していることを特徴としている。
【００１６】
［６］上記［２］又は［３］記載の発明にあって、前記受金側ケースの前記収容空間は、前記裏蓋体との接合面に前記端子金具を収容する開口が形成された一対の長溝と、前記一対の長溝のそれぞれの中間部に外方に膨出した一対の中間凹溝と、前記一対の長溝のそれぞれの両端部に外方に膨出した一対の端部凹溝とにより構成され、前記端子金具は、前記収容空間の長さ方向に延びる板材からなり、前記板材の中間部には前記中間凹溝内に収容される取付片が外方に折曲して形成され、前記板材の長手方向両端部には前記端部凹溝内に収容されるコ字形接触片が外方に折曲して形成されていることを特徴としている。
【００１７】
［７］上記［６］記載の発明にあって、一対の前記取付片のうち、一方の前記取付片は、前記受金の弾性接触片と互いに電気的に接続され、他方の前記取付片は、前記受金の取付フランジと互いに電気的に接続され、前記端子金具の前記コ字形接触片には、前記バネ端子が接触されていることを特徴としている。
【発明の効果】
【００１８】
本発明によれば、照明器具の種類にかかわらず、電球ランプを安全に点灯させることができる。
【図面の簡単な説明】
【００１９】
【図１】本発明に係る好適な第１の実施の形態である電球用ソケットの分解斜視図である。
【図２】第１の実施の形態である電球用ソケットの斜視図である。
【図３】図２のＩＩＩ−ＩＩＩ線矢視の断面拡大図である。
【図４】図２のＩＶ−ＩＶ線矢視の断面拡大図である。
【図５】図３のＶ−Ｖ線からみた平面拡大図である。
【図６】第１の実施の形態である電球用ソケットの電気接続部材を説明するための斜視図である。
【図７】第１の実施の形態である電球用ソケットの電気接続部材の要部を説明するための要部断面拡大図である。
【図８】第１の実施の形態である電球用ソケットの使用状態を説明するための図である。
【図９】第２の実施の形態である電球用ソケットの斜視図である。
【図１０】第２の実施の形態である電球用ソケットの内部断面図である。
【図１１】第２の実施の形態である電球用ソケットの使用状態を説明するための図である。
【発明を実施するための形態】
【００２０】
以下、本発明の好適な実施の形態を添付図面に基づいて具体的に説明する。
【００２１】
［第１の実施の形態］
（電球用ソケットの外観構成）
図１〜図４において、全体を示す符号１０は、例えばインバータ式の点灯装置を用いた照明器具に装着可能な電球用ソケットの一構成例を示している。この電球用ソケット１０は、受金側ケース２０と裏蓋体３０とを機械的に接続した２つの構成部材を備えている。
【００２２】
この受金側ケース２０は、図１〜図４に示すように、電球型のＬＥＤランプを装着するための第１の保持部材として構成されている。相手方の裏蓋体３０は、既設の一般的な照明器具のソケットに装着するための第２保持部材として構成されている。この受金側ケース２０と裏蓋体３０とは、互いに同一の軸線上に重ね合わせて組み付けられ、４つのネジ１１，…，１１により締付固定される。この受金側ケース２０と裏蓋体３０とは、例えばポリアミド樹脂からなる。
【００２３】
（受金側ケースの構成）
この受金側ケース２０は、図１〜図５に示すように、長短径の略楕円面を有する本体ケース２１により構成されている。この本体ケース２１の裏蓋体接合面の中央部には、円筒状のバネ受体２２が突出して形成されている。このバネ受体２２の開口内には十字形状の支持面２２ａを有しており、この支持面２２ａが裏蓋体３０のロックボタン３５を保持する圧縮バネ３６の一端を支持している。
【００２４】
この本体ケース２１の裏蓋体接合面とは反対側の外表面には、図１〜図４に示すように、ＬＥＤランプ装着用の円筒ケース２３が一体に突出して形成されている。この円筒ケース２３の開口内にはＬＥＤランプ用の受金２４が嵌め込まれている。この受金２４は、例えば一般照明用電球に使われているＥ２６形やＥ１７形などの規格に対応している。この受金２４は、ＬＥＤランプの口金と接触することで電気的に接続される。
【００２５】
この受金２４は、図１〜図４に示すように、例えば耐熱性や電気導電性を有する金属からなり、略半円形状の取付フランジ２４ａを介して本体ケース２１に３つのネジ１２，…，１２により締付固定される。その取付フランジ２４ａの径方向内側に向かう弾性接触片２４ｂがネジ１３により本体ケース２１に締付固定される。この弾性接触片２４ｂは取付フランジ２４ａと接触しないように仕切られている。
【００２６】
（電気接続手段の構成）
この第１の実施の形態に係る電球用ソケット１０は、受金２４と屋内の一般的な既設の照明器具との間の配電路を配線レスで互いに電気的に接続する一対の電気接続手段を備えている。この電気接続手段は、この第１の実施の形態に係る電球用ソケット１０の一つの主要な構成となっている。
【００２７】
この一対の電気接続手段は、図６に示すように、受金２４に電気的に接続される一対の端子金具２５，２５と、その端子金具２５の両端部に電気的に接続される二組一対のバネ端子である押さえバネ２６，…，２６とを備えた組立体により主に構成されている。
【００２８】
この電気接続手段は更に、図１〜図７に示すように、照明器具の電源線１４を受金側ケース２０の内部に着脱可能な構造と、受金２４及び電源線１４を電気的接続状態に保つ構造とを兼ね備えており、押さえバネ２６を押圧して弾性変形させる一対の取外しレバー２７，２７を備えている。一対の端子金具２５と、二組一対の押さえバネ２６と、一対の取外しレバー２７とにより構成される電気接続部材は、それぞれ同一構造及び同一形状を有している。
【００２９】
この電球用ソケット１０のもう一つの主要な構成は、一対の端子金具２５、二組一対の押さえバネ２６、及び一対の取外しレバー２７により構成される電気接続部材を、受金側ケース２０の裏蓋体接合面に形成された開口の内部で同一面上に保持させる収容構造にある。この電気接続部材の収容構造は、一般的な既設の照明器具のソケットの受金のサイズや形状が違っても、裏蓋体３０の代替えを可能とし、各種の照明器具に受金側ケース２０を使用可能にする。
【００３０】
（端子金具の収容構造）
長短径の楕円面を有する本体ケース２１の裏蓋体接合面には、図１及び図５に示すように、長径（長軸）に沿って一対の長溝２１ａ，２１ａが所定の間隔をもって形成されている。その長溝２１ａの中間部には中間凹溝２１ｂが形成されるとともに、その長溝２１ａの両端部には、端部凹溝２１ｃが形成されており、それらが短径方向に膨出して形成されている。この長溝２１ａ、中間凹溝２１ｂ、及び端部凹溝２１ｃの同一面上には端子金具２５が収容される。
【００３１】
（端子金具の構成）
この端子金具２５は、図１、図４〜図７に示すように、長さ方向に長い板材からなる。その端子金具２５の中間部には、本体ケース２１の中間凹溝２１ｂ内に収容される板状の取付片２５ａが外方に折曲形成されている。その端子金具２５の長さ方向両端部には、本体ケース２１の端部凹溝２１ｃ内に収容されるコ字形接触片２５ｂ，２５ｂが外方に折曲形成されている。
【００３２】
一対の端子金具２５のうち、一方の端子金具２５の取付片２５ａは、図１、図３〜図７に示すように、受金２４の弾性接触片２４ｂと一緒に本体ケース２１にネジ１３により締付固定されており、受金２４の弾性接触片２４ｂと互いに電気的に接続されている。一方の端子金具２５の取付片２５ａ、受金２４の弾性接触片２４ｂ、及びネジ１３により第１の受金端子部が構成される。
【００３３】
他方の端子金具２５の取付片２５ａは、図１、図３〜図７に示すように、受金２４の取付フランジ２４ａと一緒に本体ケース２１にネジ１２により締付固定されており、受金２４の取付フランジ２４ａと互いに電気的に接続されている。他方の端子金具２５の取付片２５ａ、受金２４の取付フランジ２４ａ、及びネジ１２により第２の受金端子部が構成される。
【００３４】
（押さえバネの収容構造）
この本体ケース２１の端部凹溝２１ｃには、図１、図４〜図７に示すように、端子金具２５のコ字形接触片２５ｂが収容されることで、このコ字形接触片２５ｂの内部が、電源線１４と接触して端子金具２５及び電源線１４を導通接続させる押さえバネ２６の収容空間として構成される。
【００３５】
（押さえバネの構成）
この押さえバネ２６は、図１、図４〜図７に示すように、電源線１４の導出方向に延びる支持体２６ａの両端部が湾曲状バネ部を有する板バネにより構成されている。二組一対の押さえバネ２６のうち、一方の二組一対の押さえバネ２６は、照明器具の電源線１４を電気的接続状態に保つものであり、他方の二組一対の押さえバネ２６は、他のＬＥＤランプに接続するための受け渡し用の押さえバネ２６として配置されている。
【００３６】
この押さえバネ２６の裏蓋体３０側の端部は、図１、図４〜図７に示すように、受金２４側に向けて折り返されて円弧状に湾曲した第１の湾曲部２６ｂと、その第１の湾曲部２６ｂの先端から受金２４側に向けて外方に傾斜して延びる第１の接触部である第１のバネ部２６ｃとを有している。
【００３７】
この押さえバネ２６の受金２４側の端部は、図１、図４〜図７に示すように、裏蓋体３０側に向けて折り返されて円弧状に湾曲した第２の湾曲部２６ｄと、その第２の湾曲部２６ｄの先端から裏蓋体３０側に向けて延びる第２のバネ部２６ｅと、その第２のバネ部２６ｅの先端から受金２４側に向けて折り返されて円弧状に湾曲した第３のバネ部２６ｆとを有している。この第３のバネ部２６ｆは、外方に膨出して湾曲形成された第２の接触部とされている。
【００３８】
この第１のバネ部２６ｃ、及び第３のバネ部２６ｆは、図１、図４〜図７に示すように、照明器具の電源線１４を端子金具２５のコ字形接触片２５ｂの内面に接触して電気的に接続される。この第１のバネ部２６ｃの先端は、照明器具の電源線１４を局部的に弾接して線接触状態で電気的に接続される。この第３のバネ部２６ｆは、既設の照明器具の電源線１４を弾性的に面接触状態で電気的に接続される。第１のバネ部２６ｃは、電源線１４の抜けを防止するとともに、第２及び第３のバネ部２６ｅ，２６ｆは、電源線１４の接続性を確保する。
【００３９】
（取外しレバーの収容構造）
この本体ケース２１の長軸方向両側の端部は、図１、図２、図４、図５及び図７に示すように、外表面から内方に向かう凹状に窪んだ収容凹部２１ｄが上下に貫通して形成されている。この収容凹部２１ｄは、取外しレバー２７を収容するレバー収容部として構成される。この収容凹部２１ｄの対向側面のそれぞれには、取外しレバー２７の配置位置を規制する凹状の係合切欠き段部２１ｅ，２１ｅが形成されている。この係合切欠き段部２１ｅは、収容凹部２１ｄの空間に連通している。
【００４０】
このレバー収容部となる収容凹部２１ｄの底面の一部には、図１、図４、図５及び図７に示すように、本体ケース２１の端部凹溝２１ｃに連通する矩形の貫通孔２１ｆが貫通して形成されており、この貫通孔２１ｆが、押さえバネ２６の第１のバネ部２６ｃと対応する位置に臨んでいる。本体ケース２１の裏蓋体接合面の中央部には、内方に向けてスリット状に切欠された案内孔２１ｇが形成されており、この案内孔２１ｇが貫通孔２１ｆと対応する位置に臨んでいる。この端部凹溝２１ｃ、収容凹部２１ｄ、係合切欠き段部２１ｅ、及び貫通孔２１ｆは互いに連通して構成されている。
【００４１】
（取外しレバーの構成）
この本体ケース２１の収容凹部２１ｄには、図１、図２、図４、図５及び図７に示すように、起立及び傾倒自在に回転可能な取外しレバー２７が取り付けられる。この取外しレバー２７は、例えばポリアミド樹脂からなり、起立及び傾倒自在に回転可能な矩形状のレバー本体２７ａを有している。
【００４２】
このレバー本体２７ａの両側端面には、図１、図４、図５及び図７に示すように、一対の矩形板状の突片２７ｂ，２７ｂが突出して形成されている。レバー本体２７ａの板面には、矩形板状の支持片２７ｃが突出形成されるとともに、その支持片２７ｃよりも短尺の矩形板状の一対の作動片２７ｄ，２７ｄが支持片２７ｃの両側に突出形成されている。この突片２７ｂは、本体ケース２１の係合切欠き段部２１ｅの一側面に当接して配置されている。この支持片２７ｃ及び作動片２７ｄは、本体ケース２１の収容凹部２１ｄの貫通孔２１ｆの開口端面に支持されている。
【００４３】
レバー本体２７ａの支持片２７ｃ及び作動片２７ｄの先端は、図１、図４、図５及び図７に示すように、貫通孔２１ｆの開口端面を支点にして起立及び傾倒自在に回転する回転中心を中心とする同一円周上に向けて延びている。この支持片２７ｃの先端は、本体ケース２１の案内孔２１ｇの内部に配置される。この作動片２７ｄの一部先端は、第１のバネ部２６ｃと同一の角度で斜めに切欠して形成されており、レバー本体２７ａの非作動時には、押さえバネ２６の第１のバネ部２６ｃを自然状態に保持するように設定されている。
【００４４】
以上のように構成された電気接続手段においては、長溝２１ａ、中間凹溝２１ｂ、及び端部凹溝２１ｃを有する端子金具収容構造と、収容凹部２１ｄ、凹状の係合切欠き段部２１ｅ、貫通孔２１ｆ、及び案内孔２１ｇを有する取外しレバー収容構造とにより、本体ケース２１の裏蓋体接合面に端子金具２５、押さえバネ２６、及び取外しレバー２７を収容する開口が形成された収容空間が構成されている。この収容空間により、端子金具２５、押さえバネ２６、及び取外しレバー２７を有する電気接続手段を同一面上に保持することが可能になる。
【００４５】
（裏蓋体の構成）
上記受金側ケース２０に対して着脱可能に取り付けられた裏蓋体３０の外表面の中央部には、図１〜図４に示すように、照明器具のＧＸ１０ｑ形のソケットに保持される筒状の保持体３２が突設されている。この保持体３２の外表面には、照明器具のソケットに支持固定する一対の突部３２ａ，３２ａが突出して形成されている。
【００４６】
この保持体３２の内部には、図３及び図４に示すように、円形の空間３３が形成されている。この空間３３を形成する隔壁３２ｂ，３２ｂを介して本体ケース２１に連通する２室を形成し、３つに仕切られた保持体３２が構成されている。かかる構成により、電球用ソケット１０の軽量化と材料費の低コスト化が図られている。
【００４７】
この保持体３２の空間３３には、図１〜図４に示すように、本体ケース２１のバネ受体２２に保持された圧縮バネ３６を介して、脱落防止用の円形状のロックボタン３５が出没自在に収納されている。この空間３３の下方底部は、ロックボタン３５の移動を規制する円形支持面３２ｃをもつ階段形状をなしている。このロックボタン３５は、圧縮バネ３６を支持し、バネ受体２２の支持面２２ａに当接するようにしている。
【００４８】
この裏蓋体３０の長軸方向両側の端部には、図１、図２、図５及び図７に示すように、本体ケース２１の収容凹部２１ｄに対応してレバー位置決め突部３１，３１が突出して形成されている。このレバー位置決め突部３１により、取外しレバー２７が本体ケース２１の収容凹部２１ｄ内に位置決めされる。
【００４９】
照明器具の電源線１４を挿入配置する配置空間２８が、図１、図４、図５及び図７に示すように、端子金具２５のコ字形接触片２５ｂ、レバー本体２７ａの作動片２７ｄ、及び押さえバネ２６の第１のバネ部２６ｃにより囲まれて形成されている。その配置空間２８は電気接続手段の収容空間の一部として構成される。この裏蓋体３０の本体ケース接合面には、照明器具の電源線１４を挿入するための配置空間２８に連通する通孔３０ａが貫通して形成されている。図示例では、この通孔３０ａは、押さえバネ２６に対応して形成される。この通孔３０ａ、及び本体ケース２１の取外しレバー２７により、電源線１４を着脱可能に導通接続する電気接続手段の一部が構成される。
【００５０】
この通孔３０ａを介して電源線１４を端子金具２５のコ字形接触片２５ｂ内に挿入したとき、図４及び図７に示すように、電源線１４が、押さえバネ２６の弾性復元力により第１のバネ部２６ｃの先端に弾性的に線接触状態で当接されるとともに、第３のバネ部２６ｆの弾性復元力により面接触状態で弾力的に支持される。これにより、受金２４と照明器具との間の配電路が形成される。
【００５１】
取外しレバー２７を裏蓋体３０側に回転させると、図７に示すように、レバー本体２７ａの支持片２７ｃの先端は、本体ケース２１の案内孔２１ｇに案内される。この支持片２７ｃの回転に伴い、レバー本体２７ａの作動片２７ｄが押さえバネ２６の第１のバネ部２６ｃを弾性変形させながら、第１のバネ部２６ｃと電源線１４との接触が解除される。これにより、電源線１４を簡単に抜出し操作することができる。
【００５２】
この電球用ソケット１０は、図８に示すように、一般照明用の商用交流電源入力ソケット１００に、ＬＥＤ電球が装着された電球用ソケット１０の圧縮バネ３６の弾力に抗して回転挿入することで、裏蓋体３０の突部３２ａを商用交流電源入力ソケット１００の凹部１００ａに嵌め込み固定される。この圧縮バネ３６により、電球用ソケット１０が凹部１００ａに向けて付勢された状態となる。商用交流電源が電球用ソケット１０の上記電気接続構造を介してＬＥＤ電球に供給されると、ＬＥＤ電球が点灯する。
【００５３】
上記のように構成された電球用ソケット１０の電気接続手段によると、受金２４の弾性接触片２４ｂと、一方の端子金具２５の取付片２５ａ及びコ字形接触片２５ｂと、押さえバネ２６とにより第１の回路が形成されるとともに、他方の端子金具２５の取付片２５ａと、受金２４の取付フランジ２４ａと、他方の端子金具２５の取付片２５ａ及びコ字形接触片２５ｂと、押さえバネ２６とにより第２の回路が形成されている。第１及び第２の回路構造は、受金２４、端子金具２５、及び押さえバネ２６からなる組立体に形成することで、受金側ケース２０と照明器具の電源線１４との電気的接続状態を保持することができる。
【００５４】
（第１の実施の形態の効果）
上記第１の実施の形態に係る電球用ソケット１０によると、上記効果に加えて、次のような効果が得られる。
（１）受金２４、端子金具２５、及び押さえバネ２６同士の機械的接続と電気的接続の耐久性や信頼性を確保することができる。
（２）電球型ランプと照明器具とを電気的に結合させるためのリード線の使用を廃止してリード線の断線をなくし、電球用ソケット１０の品質を向上させることができる。
【００５５】
［第２の実施の形態］
以上のように構成された第１の実施の形態に係る電球用ソケット１０は、例えば屋内の一般的な既設の照明器具のＧＸ２４ｑ形のソケットにも効果的に適用される。
【００５６】
図９及び図１０を参照すると、これらの図には第２の実施の形態に係る電球用ソケット１０の一例が示されている。この第２の実施の形態の基本構成にあっても、上記第１の実施の形態と同様に、電球用ソケット１０の内部構造にある。この第２の実施の形態において上記第１の実施の形態と異なるところは、受金側ケース２０に対して分離可能な裏蓋体３０にある。なお、これらの図において、上記第１の実施の形態と実質的に同じ部材には同一の部材名と符号を付している。従って、上記第１の実施の形態と実質的に同じ部材に関する詳細な説明は省略する。
【００５７】
この電球用ソケット１０においては、図９及び図１０に示すように、裏蓋体３０の本体ケース接合面とは反対側の外表面の中央部には、照明器具のＧＸ２４ｑ形のソケットに保持される筒状の保持体３４が突出して形成されている。この保持体３４は、本体ケース２１側に矩形状の台座３４ａを有する階段形状を有している。この保持体３４の外表面には、照明器具のソケットに支持固定する一対の三角形の突部３４ｂ，３４ｂが突出して形成されている。
【００５８】
この保持体３４の内部は、２つの隔壁３４ｃ，３４ｃをもって本体ケース２１に連通する３室に仕切られており、本体ケース２１のバネ受体に保持された圧縮バネ、及び圧縮バネを介して移動するロックボタンの２つの構成部品を排除している。この電球用ソケット１０は、図１１に示すように、一般照明用の商用交流電源入力ソケット２００に、ＬＥＤ電球が装着された電球用ソケット１０を保持用バネ２００ｂの弾力に抗して回転挿入することで、裏蓋体３０の突部３４ｂを商用交流電源入力ソケット２００の凹部２００ａに嵌め込み固定される。この保持用バネ２００ｂにより、電球用ソケット１０が凹部２００ａに向けて付勢された状態となる。商用交流電源が電球用ソケット１０の上記電気接続構造を介してＬＥＤ電球に供給されると、ＬＥＤ電球が点灯する。
【００５９】
（第２の実施の形態の効果）
上記第２の実施の形態に係る電球用ソケット１０によれば、上記第１の実施の形態の効果に加えて、次のような効果が得られる。
（１）屋内の一般的な既設の照明器具のソケットの受金のサイズや形状が違っても、裏蓋体３０を取り替えるだけで、受金側ケース２０を使用することができるので、既設の各種の照明器具を用いてＬＥＤランプを点灯させることができる。
（２）各種のインバータ式等の点灯装置を用いた照明器具に装着することができるので、白熱電球や電球型蛍光灯などの電球型ランプに電球用ソケット１０を効果的に使用することができる。
【００６０】
なお、上記実施の形態に係る電球用ソケット１０は、建物の天井や壁に埋め込まれて使用されるダウンライト、施設用や業務用等のダウンライト、天井直付け用スポットライトなどの各種の照明器具に効果的に適用することができることは勿論である。
【００６１】
以上の説明は、本発明の好適な実施の形態を例示したものであり、本発明は、上記実施の形態及び図示例に限定されないことは当然であり、各請求項に記載した範囲内で様々に設計変更が可能である。
【符号の説明】
【００６２】
１０…電球用ソケット、１１〜１３…ネジ、１４…電源線、２０…受金側ケース、２１…本体ケース、２１ａ…長溝、２１ｂ…中間凹溝、２１ｃ…端部凹溝、２１ｄ…収容凹部、２１ｅ…係合切欠き段部、２１ｆ…貫通孔、２１ｇ…案内孔、２２…バネ受体、２２ａ…支持面、２３…円筒ケース、２４…受金、２４ａ…取付フランジ、２４ｂ…弾性接触片、２５…端子金具、２５ａ…取付片、２５ｂ…コ字形接触片、２６…押さえバネ、２６ａ…支持体、２６ｂ…第１の湾曲部、２６ｃ…第１のバネ部、２６ｄ…第２の湾曲部、２６ｅ…第２のバネ部、２６ｆ…第３のバネ部、２７…取外しレバー、２７ａ…レバー本体、２７ｂ…突片、２７ｃ…支持片、２７ｄ…作動片、２８…配置空間、３０…裏蓋体、３０ａ…通孔、３１…レバー位置決め突部、３２，３４…保持体、３２ａ，３４ｂ…突部、３２ｂ，３４ｃ…隔壁、３２ｃ…円形支持面、３３…空間、３４ａ…台座、３５…ロックボタン、３６…圧縮バネ、１００，２００…商用交流電源入力ソケット、１００ａ，２００ａ…凹部、２００ｂ…保持用バネ
【図１】
0005692916.tif 000002
【図２】
0005692916.tif 000003
【図３】
0005692916.tif 000004
【図４】
0005692916.tif 000005
【図５】
0005692916.tif 000006
【図６】
0005692916.tif 000007
【図７】
0005692916.tif 000008
【図８】
0005692916.tif 000009
【図９】
0005692916.tif 000010
【図１０】
0005692916.tif 000011
【図１１】
0005692916.tif 000012